(57)【要約】      （修正有）【課題】より容易にメタボリックシンドロームにおける腹囲の判定が可能となるものを提供する。【解決手段】色分けされた部分を有する略四角形状のタオルであって、色分けされた部分は辺を有し、色分けされた部分の辺は、タオルにおける略四角形状の一辺の一部と重複しているタオルとする。なお、タオルにおける一辺の一部と重複している色分けされた部分の辺の長さは、８５ｃｍであることが好ましく、また、タオルにおける一辺の一部と重複している色分けされた部分の前記辺の長さは、９０ｃｍであることも好ましい。また、色分けされた部分とは別の第二の色分けされた部分を有し、第二の色分けされた部分は辺を有し、第二の色分けされた部分の辺は、タオルにおける一片の一部と重複している色分けされた部分における辺と隣接していることも好ましい。【選択図】図１
0003146283.tif 000002
【実用新案登録請求の範囲】
【請求項１】
色分けされた部分を有する略四角形状のタオルであって、
前記色分けされた部分は辺を有し、前記色分けされた部分の前記辺は、タオルにおける略四角形状の一辺の一部と重複しているタオル。
【請求項２】
前記タオルにおける一辺の一部と重複している前記色分けされた部分の前記辺の長さは、８５ｃｍである請求項１記載のタオル。
【請求項３】
前記タオルにおける一辺の一部と重複している前記色分けされた部分の前記辺の長さは、９０ｃｍである請求項１記載のタオル。
【請求項４】
前記色分けされた部分とは別の第二の色分けされた部分を有し、前記第二の色分けされた部分は辺を有し、前記第二の色分けされた部分の前記辺は、前記タオルにおける一片の一部と重複している前記色分けされた部分における前記辺と隣接している請求項１記載のタオル。
【請求項５】
前記タオルにおける一片の一部と重複している前記第二の色分けされた部分における前記辺の長さは、５ｃｍである請求項４記載のタオル。
【請求項６】
前記色分けされた部分とは別の第二の色分けされた部分及び第三の色分けされた部分を有し、前記第二の色分けされた部分及び前記第三の色分けされた部分は辺を有し、前記第二の色分けされた部分の前記辺及び前期第三の色分けされた部分の前記辺のそれぞれは、前記タオルにおける一片の一部と重複している前記色分けされた部分における前記辺の両側に隣接している請求項１記載のタオル。
【請求項７】
前記タオルにおける一片の一部と重複している前記第二の色分けされた部分における前記辺の長さ及び前記第三の色分けされた部分における前記辺の長さは、それぞれ２．５ｃｍである請求項６記載のタオル。
【考案の詳細な説明】
【技術分野】
【０００１】
本考案は、タオルに関する。
【背景技術】
【０００２】
メタボリックシンドローム（代謝異常症候群）は、近年社会生活習慣病として問題視されつつあり、全国の４０歳以上の半数以上は該当するまたは予備軍であると考えられている。腹囲は、メタボリックシンドロームであるか否かについての判定基準の一つとして採用されており、腹囲の測定がメタボリックシンドローム予防の観点から重要であると考えられている。
【考案の開示】
【考案が解決しようとする課題】
【０００３】
しかしながら、自身がメタボリックシンドロームに該当しているか否かについての判定を行うには定期的に腹囲の測定を行う必要があるが、例えば毎日、メジャーなどで腹囲の測定を行うには手間がかかってしまうという課題がある。
【０００４】
そこで本考案は、より容易にメタボリックシンドロームにおける腹囲の判定が可能となるものを提供することを目的とする。
【課題を解決するための手段】
【０００５】
本考案者は、上記課題について検討したところ、タオルの一辺に腹囲の基準となる長さの印を付しておくことで、容易にメタボリックシンドロームにおける腹囲の判定が可能となることを発見し、本考案を完成させるにいたった。
【０００６】
すなわち、本考案の一手段に係るタオルは、色分けされた部分を有する略四角形状のタオルであって、色分けされた部分は辺を有し、この色分けされた部分の辺は、タオルにおける略四角形状の一辺の一部と重複している。
【考案の効果】
【０００７】
本考案に係るタオルにより、容易にメタボリックシンドロームにおける腹囲の判定が可能となる。
【考案を実施するための最良の形態】
【０００８】
以下、本考案の実施形態について図面を参照しつつ説明する。ただし、本考案は多くの異なる態様で実施することが可能であり、以下に示す実施形態に限定されるものではない。
【０００９】
図１に、本実施形態に係るタオル１の概略を示す。本実施形態に係るタオル１は、略四角形状のタオルであって、下地と色分けされた部分２を有しており、この色分けされた部分２の辺２１、２２は、タオルにおける辺１１、１２の一部と重複している。
【００１０】
色分けされた部分２の辺は、タオルの辺の一部と重複しているため、この重複している辺をメジャーのように長さを測るものとして機能させることができる。色分けされた部分は、下地と色が異なるため、タオルの使用者は一見して見分けることができる。
【００１１】
色分けされた部分２の形状は、辺を有している限りにおいて限定されないが、略四角形状であって、一対の辺がタオルの一対の辺の一部と重複していれば、タオルを使用する際にわざわざ辺の位置や向きを確認、調整する手間を省くことができる点において有用である。なお、重複する辺の一部の長さについては、メタボリックシンドロームの一つの基準となる腹囲に相当する長さであって、男性の場合は８５ｃｍ、女性の場合は９０ｃｍであることが好ましい。なお本明細書において、８５ｃｍ、９０ｃｍという表現には±１ｃｍ程度の誤差が含まれる。なお、この色分けされた部分は限定されず、タオルの辺１１、１２の中央近傍に配置されていても良いが、タオルの端近傍に配置されていても良い（例えば図２参照）。
【００１２】
また、色分けされた部分２は、一つであってもよいが、男性である場合においても、女性である場合においても使用できるようにするため、複数の色分けされた部分を有していることが好ましい。この例を例えば図３に示す。
【００１３】
図３で示すように、この例で示すタオルは、第一の色分けされた部分２のほか、第二の色分けされた部分３を有しており、この第二の色分けされた部分３は辺３１、３２を有し、この辺３１、３２がタオルの辺１１、１２と重複しており、更に、第一の色分けされた部分２の辺２１、２２と隣接している。このようにすることで、第一の色分けされた部分の辺２１、２２と第二の色分けされた部分の辺３１、３２とを組み合わせて複数の長さのメジャーとして使用することができるようになる。なお、この第二の色分けされた部分の辺３１、３２の長さとしては、第一の色分けされた部分の辺２１、２２の長さが８５ｃｍである場合、５ｃｍであることが好ましい。このようにすることで、第一の色分けされた部分の辺２１、２２と第二の色分けされた部分の辺３１、３２との長さの和が９０ｃｍとなり、男性、女性いずれであっても適切に腹囲を測定できるようになるといった効果がある。
【００１４】
また、本実施形態におけるタオルは図３で示すタオルから更に第三の色分けされた部分を有するものとすることも好ましい。この例を図４に示しておく。
【００１５】
本図で示すように、この例で示すタオルは、第一の色分けされた部分２のほか、第二の色分けされた部分３、第三の色分けされた部分４を有しており、この第三の色分けされた部分４は辺４１、４２を有し、この辺４１、４２がタオルの辺１１、１２と重複しており、更に、第二の色分けされた部分の辺３１、３２と第一の色分けされた部分２の辺２１、２２を挟むように（第一の色分けされた部分の辺２１、２２の両側に隣接して）配置されている。なおこの場合において、この第三の色分けされた部分の辺４１、４２の長さと第二の色分けされた部分の辺３１、３２の長さの和は、第一の色分けされた部分の辺２１、２２の長さが８５ｃｍである場合、合わせて５ｃｍであることが好ましく、第二の色分けされた部分の辺３１、３２の長さ及び第三の色分けされた部分の辺４１、４２の長さがそれぞれ２．５ｃｍであることが好ましい。このようにすることで、上記図３と同様の効果を得ることができる。
【００１６】
また、上記構成に加え、タオル１の辺において、目盛５が付されていることは、より正確に腹囲を測定することができる上でより好ましい。この例について図５に示しておく。
【００１７】
以上、本実施形態に係るタオルによると、より容易にメタボリックシンドロームにおける腹囲の簡易判定が可能となる。
【産業上の利用可能性】
【００１８】
本考案は、タオルとして産業上の利用可能性がある。
【図面の簡単な説明】
【００１９】
【図１】実施形態に係るタオルの一例を示す図である。
【図２】実施形態に係るタオルの一例を示す図である。
【図３】実施形態に係るタオルの一例を示す図である。
【図４】実施形態に係るタオルの一例を示す図である。
【図５】実施形態に係るタオルの一例を示す図である。
【符号の説明】
【００２０】
１…タオル、２…（第一の）色分けされた部分、３…第二の色分けされた部分
【図１】
0003146283.tif 000003
【図２】
0003146283.tif 000004
【図３】
0003146283.tif 000005
【図４】
0003146283.tif 000006
【図５】
0003146283.tif 000007